(57)【特許請求の範囲】
【請求項１】
前面が開放されたケースと、
前記ケースの開放前面を通して前後移動可能に挿入され、上側が開放されたキャビネットと、
前記キャビネットに内蔵され、洗濯水を貯蔵し洗濯及び脱水作用をする外槽及び内槽からなる洗濯槽と、
前記外槽の下側に設けられ内槽を回転させる駆動手段と、
前記キャビネット内に前記洗濯槽を緩衝しながら支持するサスペンションと、
前記キャビネットが前記ケースからスライド方式で前後移動できるように、前記キャビネットと前記ケースとの間に設けられたスライド手段とを含んで構成され、
前記外槽の下側面に支持プレートが固定され、前記駆動手段は前記支持プレートの下側に設けられ、前記サスペンションは前記支持プレートと前記キャビネットの底面との間に設けられて、前記洗濯槽の衝撃及び振動を吸収し、洗濯槽の傾きの発生の際、元の位置に復帰させる弾性力を付与する弾性部材を含むことを特徴とする引き出し式洗濯機。
【請求項２】
前記サスペンションは、前記支持プレートと前記キャビネットの底面との間に設けられて、洗濯槽を一定範囲内で変位可能に支持する支持部材を含むことを特徴とする請求項１記載の引き出し式洗濯機。
【請求項３】
前記スライド手段は、前記キャビネットの底面の左右側に前後方向に固定されたレールと、前記レールに接触して回転するように、前記ケースの下側部の左右側部の内部に回転可能に装着されたローラーとからなることを特徴とする請求項１記載の引き出し式洗濯機。
【請求項４】
前記駆動手段は、前記支持プレートの底面に固定されるモーターハウジングと、前記モーターハウジングの内周面に固定され、巻線コイルが巻き取られたステータと、前記ステータの内側に一定間隔で配置されるローターと、前記ローターが縁部に装着されたローターコアと、前記ローターコアに貫通されて固定され、前記支持プレート及び外槽に回転可能に貫通され、上端が前記内槽に固定され、下端が前記モーターハウジングに回転可能に挿入されたシャフトとから構成されることを特徴とする請求項１記載の引き出し式洗濯機。
【請求項５】
前記ケース内には区画壁により複数の区画空間が形成され、前記区画空間には洗濯槽が内蔵された前記キャビネットがそれぞれ設けられることを特徴とする請求項１記載の引き出し式洗濯機。
【請求項６】
ケースの上側部に位置する第１洗濯槽を供給する第１給水路と、前記第１洗濯槽の洗濯水を外部に排出する第１排水路と、前記第２洗濯槽に洗濯水を供給する第２給水路と、前記第２洗濯槽の洗濯水を外部に排出する第２排水路と、前記第１給水路と第２排水路に連結された第１流路と、前記第１排水路と第２給水路に連結された第２流路と、前記第２洗濯槽から排出される濯ぎ水を第２排水路を通して外部に排出されるようにするか又は前記第１流路を通して第１洗濯槽に供給されるようにする第１切換手段と、前記第１洗濯槽から排出される濯ぎ水を第１排水路を通して外部に排出されるようにするか又は前記第２流路を通して第２洗濯槽に供給されるようにする第２切換手段とを含むことを特徴とする請求項１記載の引き出し式洗濯機。
【請求項７】
前記洗濯槽の内部圧力を感知する圧力センサーと、前記洗濯槽の上部一側に内部に連通するように設けられて、洗濯槽内部の蒸気が外部に排出されるようにする蒸気排出口と、前記蒸気排出口の一側に設けられて、蒸気排出口を開閉させるソレノイドバルブと、前記圧力センサーにより感知された洗濯槽内部の圧力が所定圧力以上であると判断されると、前記ソレノイドバルブを作動させて前記蒸気排出口を開放させる制御部とを含むことを特徴とする請求項１記載の引き出し式洗濯機。
【発明の詳細な説明】
【０００１】
【発明の属する技術分野】
本発明は引き出し式洗濯機に関するもので、より詳しくは洗濯槽が引き出し式で開閉できるようにして、洗濯物の収納及び引出を便利に行い、洗濯機の設置場所をより幅広く選択することができ、分離洗濯及び小容量の洗濯が容易に行える引き出し式洗濯機及びその洗濯方法に関するものである。
【０００２】
【従来の技術】
図１２は従来技術による直立式洗濯機の構成を示す構成図である。
従来の直立式洗濯機は、外観を形成し、上側に洗濯物の収納及び引出を可能にする蓋１が開閉可能に装着されるケース２と、前記ケース２に内蔵され、洗濯水を貯蔵する外槽３及び該外槽３に内蔵されて洗濯及び脱水作用を果たす内槽４からなる洗濯槽５と、前記外槽の下側に設けられ、内槽４を回転駆動させる駆動手段６と、前記外槽３をケース２に吊り下げるように支持するとともに緩衝機能をするロッド７とから構成される。
【０００３】
しかし、上記のような従来の洗濯機は、蓋を開けて洗濯物を上側から入れるか引き出す必要があるので、洗濯物の収納及び引出が不便であるという問題がある。
また、洗濯槽が一つだけ設けられているため、それぞれ異なる洗濯物を洗濯する場合には、布質の種類によって洗濯物を分別し、２回又はそれ以上に分けて別に洗濯を行う必要があるため、洗濯時間が長くなり、それにより水の使用量が増大するという問題がある。
また、洗濯機の上側で洗濯物の収納及び引出を行うため、洗濯機の上側に空間部を残しておく必要があるため、洗濯機の設置場所が限定されるという問題がある。
【０００４】
【発明が解決しようとする課題】
本発明は前記のような問題点を解決するためになされたもので、その目的は洗濯槽を前後方向に開閉されるように構成することで、洗濯物の収納及び引出が便利に行える洗濯機を提供することにある。
本発明の他の目的は、一つの洗濯機に洗濯槽を複数設け、洗濯物を色又は布質によってそれぞれ区分して洗濯し得るようにすることで、洗濯時間を短縮し、洗濯性能を向上させることができる洗濯機を提供することにある。
【０００５】
本発明の更に他の目的は、デザインが美麗であり、流し台など、使用者の所望場所に設置することができる洗濯機を提供することにある。
本発明の更に他の目的は、水使用量を減少させ、廃水として排水される水を節減して環境汚染を低減させることができる引き出し式洗濯機を提供することにある。
本発明の更に他の目的は、洗濯槽の内部圧力が設定値以上であると、洗濯槽の内部蒸気を外部に排出させ得るようにして、高圧力による洗濯槽の破損を防止することができる引き出し式洗濯機を提供することにある。
【０００６】
【課題を解決するための手段】
前記課題を実現するための本発明による引き出し式洗濯機は、前面が開放されたケースと、前記ケースの開放前面を通して前後移動可能に挿入され、上側が開放されたキャビネットと、前記キャビネットに内蔵され、洗濯水を貯蔵し洗濯及び脱水作用をする外槽及び内槽からなる洗濯槽と、前記外槽の下側に設けられ内槽を回転させる駆動手段と、前記キャビネット内に前記洗濯槽を緩衝しながら支持するサスペンションと、前記キャビネットが前記ケースからスライド方式で前後移動できるように、前記キャビネットと前記ケースとの間に設けられたスライド手段とを含んで構成され、前記外槽の下側面に支持プレートが固定され、前記駆動手段は前記支持プレートの下側に設けられ、前記サスペンションは前記支持プレートと前記キャビネットの底面との間に設けられて、前記洗濯槽の衝撃及び振動を吸収し、洗濯槽の傾きの発生の際、元の位置に復帰させる弾性力を付与する弾性部材を含むことを特徴とする。
【０００７】
本発明の他の特徴は、前記ケース内には区画壁により複数の区画空間が形成され、前記区画空間には洗濯槽が内蔵された前記キャビネットがそれぞれ設けられることにある。
【０００８】
本発明の更に他の特徴は、前記ケースの上側部に位置する第１洗濯槽を供給する第１給水路と、前記第１洗濯槽の洗濯水を外部に排出する第１排水路と、前記第２洗濯槽に洗濯水を供給する第２給水路と、前記第２洗濯槽の洗濯水を外部に排出する第２排水路と、前記第１給水路と第２排水路に連結された第１流路と、前記第１排水路と第２給水路に連結された第２流路と、前記第２洗濯槽から排出される濯ぎ水を第２排水路を通して外部に排出されるようにするか又は前記第１流路を通して第１洗濯槽に供給されるようにする第１切換手段と、前記第１洗濯槽から排出される濯ぎ水を第１排水路を通して外部に排出されるようにするか又は前記第２流路を通して第２洗濯槽に供給されるようにする第２切換手段とを含むことにある。
【０００９】
本発明の更に他の特徴は、前記洗濯槽の内部圧力を感知する圧力センサーと、前記洗濯槽の上部一側に内部に連通するように設けられて、洗濯槽内部の蒸気が外部に排出されるようにする蒸気排出口と、前記蒸気排出口の一側に設けられて、蒸気排出口を開閉させるソレノイドバルブと、前記圧力センサーにより感知された洗濯槽内部の圧力が所定圧力以上であると判断されると、前記ソレノイドバルブを作動させて前記蒸気排出口を開放させる制御部とを含むことにある。
【００１０】
【発明の実施の形態】
以下、添付図面に基づいて本発明の実施形態を説明する。
図１ないし図３は本発明の第１実施形態による引き出し式洗濯機を示す。
本発明の第１実施形態による引き出し式洗濯機は、外観を形成し、前面が開放されたケース１０と、該ケース１０の開放前面を通して前後方に移動可能に挿入され、上側が開放されたキャビネット２０と、該キャビネット２０に内蔵され、洗濯水が貯蔵されるとともに洗濯及び脱水作用をする外槽３１及び内槽３２でなる洗濯槽３０と、前記外槽３１の下側に設けられ、内槽３２を回転駆動させる駆動手段４０と、前記外槽３１の下側と前記キャビネット２０の底面２１との間に設けられて洗濯槽３０を支持するとともに緩衝機能をするサスペンションと、前記キャビネット２０がスライド方式で前後に直線移動できるように、キャビネット２０とケース１０との間に設けられるスライド手段とから構成される。
【００１１】
ここに図示されてはいないが、前記引き出し式洗濯機には、通常の洗濯機のように洗濯及び濯ぎに必要な洗濯槽３０に供給する給水手段と、洗濯槽３０内の水を外部に排水する排水手段とが設けられる。
前記ケース１０は前面の開放された直六面体のボックス状に形成され、前記キャビネット２０の前方には取っ手２２が取り付けられる。
【００１２】
前記洗濯槽３０は、上側に開閉可能な蓋３３が設けられ、外槽３１の下側には洗濯槽３０を支持するための支持プレート３４が溶接などの手段で固定されている。
前記支持プレート３４は円板状に形成され、その下側に駆動手段４０が設けられ、支持プレート３４の縁部は上側に傾いてから下側に傾くように、一定の角度に折曲された上向斜面３４ａと下向斜面３４ｂを有する。
【００１３】
前記駆動手段４０はアウターロータータイプに形成されるもので、支持プレート３４の下面にボルト４５で固定され、巻線コイル４６が巻回されたステータ４１と、このステータ４１の外周に一定の間隔で配置されたローター４２と、前記ローター４２が固定されたローターコア４３と、下側部がローターコア４３の中央に固定され、上側部が内槽３２に固定されたシャフト４４とから構成される。
【００１４】
前記シャフト４４は支持プレート３４の中央を貫通して、外槽３１の下側面の中央に、ベアリング５１を介在して挿着され、外槽３１とシャフト４４との間は、外槽３１の洗濯水が漏水されないようにシール処理される。
一方、支持プレート３４とシャフト４４との間にはベアリング５２が介在される。
【００１５】
前記サスペンションは、支持プレート３４とキャビネット２０の底面２１との間に設けられ、前記洗濯槽３０の衝撃及び振動を吸収しつつ洗濯槽３０を支持する支持部材６１と、洗濯槽３０の衝撃及び振動を吸収するとともに、洗濯槽３０の傾きの際、洗濯槽３０を元の位置に復帰させる弾性力を付与する弾性部材６２とから構成される。
【００１６】
前記支持部材６１は支持プレート３４の上向斜面３４ａとキャビネット２０の底面２１との間に介在されて、洗濯槽３０が変位できるように支持するもので、中央部が円形に開口され、上側面が支持プレート３４の上向斜面３４ａと接触する斜面に形成され、下側面は前記キャビネット２０の底面２１と接触する環状の弾性体である。
【００１７】
前記弾性部材６２は、支持プレート３４の下向傾斜面３４ｂとキャビネットの底面２１に形成された斜面２１ａとの間に一定角度で斜めに設置されたコイルスプリングで構成される。
前記弾性部材６２は、先端が支持プレート３４の下向斜面３４ｂに形成された第１スプリングシート６３に結合され、下端がキャビネットの底面２１の斜面２１ａに形成された第２スプリングシート６４に結合される。
【００１８】
前記スライド手段は、キャビネットの底面２１の左右側の下側面に前後方向に固定されるレール７１と、前記レール７１と接触して回転するように、ケース１０の下側部の左右側内面に固定される支持軸７３上に回転可能に装着されるローラー７２とから構成される。
【００１９】
このように構成された引き出し式洗濯機は、洗濯物を内槽３２に入れるため、取っ手２１を握って前方に引き出すと、ローラー７２が回転するとともにキャビネット２０が前方に移動してケース１０から突出される。キャビネット２０が前方に突出すると、蓋３３を開け、内槽３２に洗濯物を入れた後、キャビネット２０を押し入れると、ケース１０の内部にキャビネット２６が挿入される。
【００２０】
この状態で、洗濯槽３０に洗濯水を供給した後、駆動手段４０に電源を印加させると、シャフト４４が回転して内槽３２を回転させて洗濯作用をし、脱水及び濯ぎ作用をすることになる。この際に、洗濯槽３０は支持部材６１により一定範囲内でだけ変位できるように支持され、弾性部材６２の弾性力により緩衝作用がなされる。
【００２１】
図４は本発明の第２実施形態による引き出し式洗濯機を示す断面図である。
同図に示すように、本発明の第２実施形態による引き出し式洗濯機は、洗濯槽３０の下側に支持プレート８１が溶接などの手段で固定され、支持プレート８１とキャビネット２０の底面２５と間にサスペンションが設けられ、支持プレート８１の下側にインナーロータータイプの駆動手段９０が設けられる。
【００２２】
前記支持プレート８１は円板状であって、上側面が外槽３１の下側面に固定され、中央にシャフト９５が通過される。
前記駆動手段９０は、支持プレート８１の底面に固定されるモーターハウジング９１と、前記モーターハウジング９１の内周面に固定され、巻線コイルが巻回されているステータ９２と、該ステータ９２の内側に一定間隔を置いて配置されるローター９３と、前記ローター９３が固定され、中央に前記シャフト９５が貫通状態で固定されたローターコア９４とから構成される。
【００２３】
前記シャフト９５は、下端がモーターハウジング９１の底面９１ａに下部ベアリング９６を介在して貫通され、中央部が前記支持プレート８１に上部ベアリング９７を介在して貫通され、上端が内槽３２に固定される。
前記サスペンションは、洗濯槽３０を一定範囲内で変位可能に支持する支持部材８４と、洗濯槽３０の振動及び衝撃を吸収するとともに、洗濯槽３０が傾くと、これを復帰させる弾性部材８６とから構成される。
【００２４】
前記支持部材８４は中央部が開口された環状に形成されるもので、上側面がモーターハウジングの底面９１ａの縁部と接触するように、一定角度に傾いた斜面８４ａに形成され、下面がキャビネットの底面２５と接触するように、平面に形成されて、洗濯槽３０を一定の範囲内で変位可能に支持する。
前記弾性部材８６はコイルスプリングで構成されるもので、上端は支持プレート８１の下面に形成された第１スプリングシート８１ａに結合され、下端は底面２５に形成された第２スプリングシート２５ａに結合される。
【００２５】
図５は本発明の第１、２実施例による前記引き出し式洗濯機の蒸気排出装置を示す構成図であり、図６は図５の蒸気排出装置を制御する構成要素の連関性を示すブロック図である。
【００２６】
図５及び図６に示す本発明による蒸気排出装置は、引き出し式洗濯機に煮沸機能を付加する場合、洗濯槽３０の一側にヒーター１００が設けられる引き出し式洗濯機で、洗濯槽３０の一側に装着されて、洗濯槽３０に貯蔵される洗濯水の水位を感知するとともに、洗濯槽３０内の圧力を感知する圧力センサー１５４と、前記洗濯槽３０の上部一側に、洗濯槽の内部に連通するように設けられて、洗濯槽３０の内部の蒸気を外部に排出する蒸気排出口１５０と、前記蒸気排出口１５０に設けられて蒸気排出口１５０を開閉させるソレノイドバルブ１５２と、前記圧力センサー１５４で感知された洗濯槽３０の内部圧力に応じて前記ソレノイドバルブ１５２を制御する制御部１５８とから構成される。
【００２７】
前記圧力センサー１５４は洗濯槽３０内部の水頭変化による圧力を感知して現在の水位を感知する水位センサーで、洗濯槽３０の水位を感知するとともに洗濯槽３０の内部圧力を感知する役割を同時に果たす。
すなわち、このような圧力センサー１５４は、初期状態で洗濯槽３０内の圧力である大気圧と洗濯水の高さにより発生する水頭による圧力を感知して洗濯水の水位を感知する。そして、洗濯槽３０が密閉された状態で、洗濯水がヒーター１００により加熱され始めると、水の蒸発と蒸気の膨張により発生する蒸気圧を感知し、その信号を制御部１５８に印加する。
【００２８】
前記ソレノイドバルブ１５２は、電源がオフとされた状態では前記蒸気排出口１５０を閉鎖させた状態を維持し、制御部１５８の信号に応じて、洗濯槽３０内の圧力が一定値以上である場合、蒸気排出口１５０を開放させるように作動する。このように構成された本発明による引き出し式洗濯機の蒸気排出装置の蒸気排出方法を以降に説明する。
【００２９】
図７は本発明による蒸気排出方法を示す順序図である。
引き出し式洗濯機に電源が印加され、洗濯槽３０に洗濯水が供給されると（Ｓ１）、圧力センサー１５４により大気圧と洗濯水の水頭変化による圧力を感知して、洗濯水が設定水位に到達したかを判断する（Ｓ２）。ここで、洗濯水が設定水位に到達したと判断されると給水を中断し（Ｓ３）、ヒーター１００が作動して洗濯槽３０に貯蔵された洗濯水を温め始める（Ｓ４）。
【００３０】
このような状態で、圧力センサー１５４から印加される洗濯槽３０の内部圧力と設定値とを比較して、現在の洗濯槽３０の内部圧力が設定値以上であるかを判断する（Ｓ５）。洗濯槽３０の内部圧力が設定値以上であると判断されると、ソレノイドバルブ１５２を作動させて蒸気排出口１５０を開放することで、内部の高圧蒸気が外部に排出できるようにする（Ｓ６）。つぎに、圧力センサー１５４から印加される洗濯槽３０の内部圧力と設定値とを比較して、洗濯槽３０の内部圧力が設定値以下であるかを判断する（Ｓ７）。ここで、洗濯槽３０の内部圧力が設定値以下であると判断されると、ソレノイドバルブ１５２に印加される電源を遮断して蒸気排出口１５０を閉鎖する（Ｓ８）。
【００３１】
図８及び図９は本発明の第３実施形態による引き出し式洗濯機を示す。
図８及び図９に示す引き出し式洗濯機は、本発明の第１実施形態による引き出し式洗濯機のケース１０の中央に区画板１１ａが設けられ、前面に取っ手２２ａ、２２ｂがそれぞれ取り付けられ、洗濯槽３０ａ、３０ｂがそれぞれ内蔵されたキャビネット２０ａ、２０ｂが上下に二つ設けられたもので、前記それぞれのキャビネット２０ａ、２０ｂ、洗濯槽３０ａ、３０ｂ及び洗濯槽駆動手段は第１実施形態と同一であるので、ここではその説明を省略する。
【００３２】
図１０及び図１１は本発明の第３実施形態による前記引き出し式洗濯機の給水、排水装置、及び給水、排水方法を示す。
図１０に示す引き出し式洗濯機の給水、排水装置は、第１、２洗濯槽３０ａ、３０ｂに洗濯水をそれぞれ供給する第１、２給水路１０２、１１０と、前記第１、２洗濯槽３０ａ、３０ｂの洗濯水を外部に排出させる第１、２排水路１０８、１０４と、前記第１給水路１０２と第２排水路１０４に連結された第１流路１０６と、前記第１排水路１０８と第２給水路１１０に連結された第２流路１１２と、前記第１排水路１０８と第２流と１１２との間に設けられ、第１洗濯槽３０ａから排出される洗濯水を第２流路１１２と第１排水路１０８のいずれか一つに排出させる第１ポンプ１１６と、前記第２洗濯槽３０ｂの第２排水路１０４と第１流路１０６との間に設けられ、第２洗濯槽３０ｂの洗濯水を第１流路１０６と排水路１０４のいずれか一つに排出させる第２ポンプ１１８とからなる。
【００３３】
前記第１流路１０６上には、第２洗濯槽３０ｂに貯蔵された洗濯水が第１給水路１０２にだけ排出されるようにし、逆方向への流れを遮断する第１チェックバルブ１２０が設けられ、第２流路１１２上には、第１洗濯槽３０ａに貯蔵された洗濯水が第２給水路１１０にだけ排出されるようにし、逆方向への流れを遮断する第２チェックバルブ１２４が設けられる。
【００３４】
前記第１ポンプ１１６は第１洗濯槽３０ａから排出される水を第２流路１１２と第１排水路１０８のいずれか一つに排出されるように排出方向を転換させることができるポンプで、その回転方向によって吐出方向が転換できるように形成される。すなわち、一例として正方向回転である場合には第２流路１１２に水を排出させ、逆方向回転である場合には第１排水路１０８に水を排出させるようにする。
【００３５】
前記第２ポンプ１１８は第１ポンプ１１６と同一構造で構成されるもので、第２洗濯槽３０ｂから排出される水を第１流路１０６と第２排水路１０４のいずれか一つを選択して排出させ得るように排出方向を転換させることができる。
前記のように構成された洗濯水の給水／排水装置を有する洗濯機の制御方法を図１０及び図１１に基づいて説明する。
【００３６】
第１洗濯槽３０ａと第２洗濯槽３０ｂのいずれか一つがまず作動するよう、一定の時差を置き作動させる。このような第１及び第２洗濯槽３０ａ、３０ｂを作動するにあって、第１洗濯槽３０ａが濯ぎ運転中であるかを確認し、第１洗濯槽３０ａの濯ぎ運転が完了したかを判断する（Ｓ１０、Ｓ２０）。ここで、第１洗濯槽３０ａの濯ぎ運転が完了すると判断されると、第１ポンプ１１６の回転方向を、第１洗濯槽３０ａと第２流路１１２を連結する方向に作動させることで、第１洗濯槽３０ａで濯ぎが完了されて排水される濯ぎ済み水を第２流路１１２を通して第２洗濯槽３０ｂに供給する（Ｓ３０、Ｓ４０）。
【００３７】
そして、前記で、第１洗濯槽３０ａが濯ぎ運転でないと判断されると、第２洗濯槽３０ｂが濯ぎ運転であるかを確認し、第２洗濯槽３０ｂの濯ぎ運転が完了されたかを判断する（Ｓ１５、Ｓ５０）。前記で、第２洗濯槽３０ｂの濯ぎ運転が完了されたと判断されると、第２ポンプ１１８の回転方向を、第２洗濯槽３０ｂと第１流路１０６を連結する方向に作動させることで、第２洗濯槽３０ｂで濯ぎが完了されて排水される濯ぎ済み水を第１流路１０６を通して第１洗濯槽３０ａに供給する（Ｓ６０、Ｓ７０）。
【００３８】
【発明の効果】
以上説明したように、前記のように構成されて作用する本発明による引き出し式洗濯機は、前面の開放されたケースの前後方向に洗濯槽が内蔵されたキャビネットが開閉できるように具現することにより、洗濯物の収納及び引出をより便利にし、洗濯槽の上側空間をほかの用途に活用することができるので、洗濯機を流し台など、使用者の所望場所に設置することができる利点がある。
【００３９】
また、洗濯槽を上下２段に具現し、洗濯物を色相又は布質によって区分して洗濯が行えるので、洗濯時間が短縮でき、洗濯性能が向上できる利点がある。
また、第１洗濯槽で濯ぎ作用が完了されて排水される濯ぎ済み水を第２洗濯槽の内部に供給するか、第２洗濯槽で濯ぎが完了されて排水される濯ぎ済み水を第１洗濯槽の内部に供給することにより、一度使用した水を再使用して洗濯に必要な水を節約するとともに排水量を減らして環境汚染を減らすことができる利点がある。
【００４０】
また、洗濯槽の内部圧力が設定値以上であると判断されると、蒸気排出口を開放して洗濯槽の内部の蒸気を外部に排出させることにより、高圧による洗濯槽の破損を防止することができる。
【図面の簡単な説明】
【図１】本発明の第１実施形態による引き出し式洗濯機の外観を示す斜視図である。
【図２】図１に示す引き出し式洗濯機の断面図である。
【図３】図１に示す引き出し式洗濯機のサスペンション及び駆動部を拡大して示す断面図である。
【図４】本発明の第２実施形態による引き出し式洗濯機の断面図である。
【図５】本発明の第１、２実施形態に適用された引き出し式洗濯機の蒸気排出装置を概略的に示す図である。
【図６】図５に示す引き出し式洗濯機の蒸気排出装置を制御する構成要素を示すブロック図である。
【図７】図５に示す引き出し式洗濯機の蒸気排出方法を示す順序図である。
【図８】本発明の第３実施形態による引き出し式洗濯機の外観を示す斜視図である。
【図９】図８に示す引き出し式洗濯機の断面図である。
【図１０】本発明の第３実施形態に適用された引き出し式洗濯機の給水／排水装置を示す概略図である。
【図１１】図１０に示す引き出し式洗濯機の給水／排水方法を示す順序図である。
【図１２】従来技術による洗濯機の断面図である。
【符号の説明】
１０…ケース
２０…キャビネット
３０…洗濯槽
３１…外槽
３２…内槽
３４…支持プレート
４０…駆動手段
６１…支持部材
６２…弾性部材
７２…ローラー
【図１】
0003616356.tif 000002
【図２】
0003616356.tif 000003
【図３】
0003616356.tif 000004
【図４】
0003616356.tif 000005
【図５】
0003616356.tif 000006
【図６】
0003616356.tif 000007
【図７】
0003616356.tif 000008
【図８】
0003616356.tif 000009
【図９】
0003616356.tif 000010
【図１０】
0003616356.tif 000011
【図１１】
0003616356.tif 000012
【図１２】
0003616356.tif 000013